(57)【特許請求の範囲】
【請求項１】
戸の開閉側に配置される戸枠の内側に沿って付設される戸枠用パッキンであって、戸の開閉方向に交差する方向へ向けてパッキン部材が複数立設されているとともにこれらのパッキン部材の戸に対する接触抵抗が開放方向から閉成方向へ順に大きく設定されていることを特徴とする戸枠用パッキン。
【請求項２】
前記複数のパッキン部材の戸に対する接触抵抗が各パッキン部材の硬さに依存する請求項１に記載の戸枠用パッキン。
【請求項３】
戸の開閉側に配置される戸枠の内側に沿って付設される戸枠用パッキンであって、戸の開閉方向に交差する方向へ向けて固定パッキンが立設されているとともにこの固定パッキンの開放側に複数の接触抵抗部材が立設されており、これらの接触抵抗部材の戸に対する接触抵抗が開放方向から閉成方向へ順に大きく設定されていることを特徴とする戸枠用パッキン。
【発明の詳細な説明】
【０００１】
【発明の属する技術分野】
本発明は窓、開戸ならびに引戸などの戸枠に付設される戸枠用パッキン、殊に戸の開閉側に配置される戸枠の内側に沿って配置される戸枠用パッキンに関するものである。
【０００２】
【従来の技術】
従来、窓、開戸ならびに引戸などの戸枠には閉成時の水密ならびに気密性を確保するため、更には閉成時における戸の衝撃を緩衝する目的で戸枠用パッキンが配置されている。
【０００３】
ところが、図５に示すように、前記従来の戸枠用パッキン１ａは戸枠２ａの内側面２１ａに例えばゴム材などにより形成された中空の帯状のものが一般的であり、戸３ａが閉成時に戸枠１ａに与える衝撃を充分に吸収することができず、良好な閉成感触ならびに閉成音をえることができず、特に強い力で閉じたときには戸３ａが戸枠２ａに当たって跳ね返ってしまう、という問題があった。
【０００４】
また、従来から引戸などにおいて閉成時の跳ね返りを防止するとともに閉成した戸を保持しておく機能を備えた戸当りも用いられているが、機密性を発揮させるためのパッキンと別体であるとともに構造が複雑で取り付け箇所を要し、価格も高く、例えば自動扉などにおいて用いられているだけであって通常の窓や戸に適用することは殆ど困難である。
【０００５】
更に、閉成状態を保持することができる戸当りにあっても、戸を駆動させて保持状態を解除したときに、保持状態が一気に解除するため円滑な戸の操作がしにくい、という問題もある。
【０００６】
【発明が解決しようとする課題】
本発明が解決しようとする課題は、従来の戸枠に用いられているパッキンは、戸を閉じたときの感触が充分でなく、殊に、勢いよく閉めると跳ね返り、更に、閉成状態を保持することができない、という点である。
【０００７】
【課題を解決するための手段】
本発明は前記課題を解決するためになされたものであり、戸の開閉側に配置される戸枠の内側に沿って付設される戸枠用パッキンであって、戸の開閉方向に交差する方向へ向けてパッキン部材が複数立設されているとともにこれらのパッキン部材の戸に対する接触抵抗が開放方向から閉成方向へ順に大きく設定されていることを特徴とする戸の開閉方向に交差する方向へ向けてパッキン部材が立設されていることを特徴とする。
【０００８】
戸を閉じたときに、戸の閉成側の框が戸の開閉方向に平行な枠面から戸の開閉方向に交差する方向へ向けて立設されたパッキン部材に衝突して制動され勢いが落ちた後に閉成することになり、きわめて自然に感触よく閉じることができるとともに跳ね返りを防止することができる。
【０００９】
また、パッキン部材が複数であるとともにこれらのパッキン部材の戸に対する接触抵抗が開放方向から閉成方向へ順に大きく設定されているので、戸を閉じたときに、戸の閉成側の框が戸の開閉方向に平行な枠面から戸の開閉方向に交差する方向へ向けて立設された複数のパッキン部材に順次衝突する。このとき、複数のパッキン部材は戸に対する接触抵抗が開放方向から閉成方向へ順に大きく設定されている。従って、戸が段階的に制動されてきわめて自然に感触よく閉じることができる。
【００１０】
更に、戸の開閉方向に交差する方向へ向けて固定パッキンが立設されているとともにこの固定パッキンの開放側に複数の接触抵抗部材が立設されており、これらの接触抵抗部材の戸に対する接触抵抗が開放方向から閉成方向へ順に大きく設定されている場合にも、複数の接触抵抗部材に順次衝突する。このとき、複数の接触抵抗部材は戸に対する接触抵抗が開放方向から閉成方向へ順に大きく設定されているので戸が段階的に制動されてきわめて自然に感触よく閉じることができる。
【００１１】
更にまた、閉成時と同様に本発明を開放側の戸枠について実施すれば開放時にも同様の作用・効果を期待することができる。
【００１２】
【発明の実施の形態】
次に本発明の実施の形態について図面を参照して説明する。
【００１３】
図１は本発明を引戸形式の戸１について実施した場合の好ましい実施の形態の一つを示すものであり、戸枠用パッキン２は、例えばゴム材や軟質合成樹脂などの適宜の軟質材により一体的に押出し成形によって形成され、薄型の板片状に形成された二つのパッキン部材２２，２３が、戸１の閉成側に配置される縦方向へ延びる戸枠３の戸１の開閉方向に平行な内側面３１に沿って付設される薄板状の基材２４に戸１の開閉方向に交差する方向へ向けて立設される。
【００１４】
また、基材２４における戸１の閉成側の側面には中空状の固定パッキン５が付設されている。
【００１５】
殊に、二つのパッキン部材２２，２３の内、戸１の開放側に位置するパッキン部材２３は、上端面が固定パッキン５よりも短く、更に、その閉成側に位置するパッキン部材２２はパッキン部材２３よりも短く従って、パッキン部材２２，２３は戸１に対する接触面積が異なることから接触抵抗が順に大きく設定されている。
【００１６】
このように構成される戸枠用パッキン２は、戸１を閉じたとき、戸１を構成する閉成側の框１１が固定パッキン５に直接当たることなく、初めに戸１の開閉方向に交差する方向へ向けて立設されたパッキン部材２２に衝突して制動され勢いが落ちる。
【００１７】
次いで、更に戸１が閉じられると、パッキン部材２２が屈曲して戸枠３と戸１の框１１との間に弾圧状態で挟み込まれ（図１（ｂ）参照）、更に、戸１が閉じられると、框１１が次のパッキン部材２３に当り、更に制動されて、パッキン部材２３が屈曲してパッキン部材２２と同様に戸枠３と戸１の框１１との間に弾圧状態で挟み込まれ、最後に固定パツキン５に当たって停止する（図１（ｃ）参照）。
【００１８】
このように本実施の形態では、戸１を閉じたとき、閉成側の框１１が戸１の開閉方向に交差する方向へ向けて立設された複数のパッキン部材２２，２３に順次衝突する。このとき、複数のパッキン部材２２，２３には戸１に対する接触抵抗が開放方向から閉成方向へ順に大きく設定されている。従って、戸１が段階的に制動されてきわめて自然に感触よく閉じることができるとともに跳ね返る心配がない。
【００１９】
殊に、本実施の形態では、パッキン部材２２，２３が戸１の閉成時に屈曲して戸枠３戸１の框１１との間に弾圧状態で挟み込まれる幅を有しており、閉じた戸１が閉成状態で弾圧保持されるため閉成操作の感触がきわめてよいとともに確実に跳ね返りを防止することができるばかりか閉成状態を確実に維持させることができ、加えて閉成状態から戸１を開放方向へ移動させた場合には、戸１を弾圧保持しているパッキン部材２２，２３の段階的な圧接解除を伴うので適度の抵抗を以って操作することになり、きわめて良好な感触を得ることができるものである。
【００２０】
図２は本発明の異なる実施の形態を示すものであり、戸１の接触面積を変化させずにパッキン部材２２，２３の外形は同一であるが、パッキン部材２２，２３の材質が有する硬度を変化させることにより戸１に対する接触抵抗を開放方向から閉成方向へ順に大きく設定されたものである。
【００２１】
尚、前記図１および図２に示した実施の形態では二つのパッキン部材２２，２３を立設した構成としたが、パッキン部材は複数であって順次戸の接触抵抗が変化すればよくその数は問わない。
【００２２】
また、図３及び４は本発明の更に異なる実施の形態を示すものであり、図３に示す戸枠用パッキン２は、例えばゴム材や軟質合成樹脂などの適宜の軟質材により一体的に押出し成形によって形成され、薄型の板片状に形成された二つの接触抵抗部材２５，２６が、戸１の閉成側に配置される縦方向へ延びる戸枠３の戸１の開閉方向に平行な内側面３１に沿って付設される薄板状の基材２４に戸１の開閉方向に交差する方向へ向けて立設され、基材２４における戸１の閉成側の側面には中空状の固定パッキン５が付設されている。
【００２３】
殊に、二つの接触抵抗部材２５，２６の内、戸１の開放側に位置するパッキン部材２５は、先端面が基材２４へと傾斜して上端面が固定パッキン５よりも短い細長の三角形状を呈し、更に、その閉成側に位置するパッキン部材２６は上端面が固定パッキン５とほぼ同等の長さを有し且つ上端からの長さが前記接触抵抗部材２５の下端位置において先端面が基材２４へと前記接触抵抗部材２５と同程度の傾きで傾斜している。従って、接触抵抗部材２５，２６は戸１に対する接触面積が異なることから接触抵抗が順に大きく設定されている。
【００２４】
このように構成される戸枠用パッキン２は、戸１を閉じたとき、前記図１に示した実施の形態におけるパッキン部材２２，２３と同様に、戸１を構成する閉成側の框１１が固定パッキン５に直接当たることなく、初めに戸１の開閉方向に交差する方向へ向けて立設された接触抵抗部材２５に衝突して制動され勢いが落ち、次いで、更に戸１が閉じられると、接触抵抗部材２５が屈曲して戸枠３と戸１の框１１との間に弾圧状態で挟み込まれ、更に、戸１が閉じられると、框１１が次の接触抵抗部材２６に当り、更に制動されて、接触抵抗部材２６が屈曲して接触抵抗部材２５と同様に戸枠３と戸１の框１１との間に弾圧状態で挟み込まれ、最後に固定パツキン５に当たって停止する。
【００２５】
このように本実施の形態では、戸１を閉じたとき、閉成側の框１１が戸１の開閉方向に交差する方向へ向けて立設された複数の接触抵抗部材２５，２６に順次衝突する。このとき、複数の接触抵抗部材２５，２６には戸１に対する接触抵抗が開放方向から閉成方向へ順に大きく設定されている。従って、戸１が段階的に制動されてきわめて自然に感触よく閉じることができるとともに跳ね返る心配がない。
【００２６】
図４は、本発明の更に異なる実施の形態を示すものであり、前記実施の形態では、傾斜した先端面を有する板状を呈する二つの接触抵抗部材２５，２６を立設した構成としたが、基材２４に戸１の開閉方向に交差する方向へ向けて複数の突片からなる接触抵抗部材２７を突設するとともにそれらの数を開放側から閉平側へと多くなるように配置することにより、接触抵抗部材２７の戸に対する接触抵抗が開放方向から閉成方向へ順に大きく設定したものである。尚、本実施の形態では基材２４に突設した複数の突片からなる接触抵抗部材２７の数を開放側から閉平側へと多くなるように配置して接触抵抗部材２７の戸に対する接触抵抗が開放方向から閉成方向へ順に大きく設定したが、突起からなる接触抵抗部材２７の数に代えて或いは数を変化させるとともに高さを開放側から閉平側へと高くなるように配置してもよい（図示せず）。
【００２７】
尚、前記実施の形態では、二つのパッキン部材２２，２３、二つの接触抵抗部材２５，２６更には２列の接触抵抗部材２７を用いた場合を示したが、これらは複数であって、順次戸の接触抵抗が変化すればよくその数は問わない。
【００２８】
【発明の効果】
以上のように本発明は、戸の開閉方向に交差する方向へ向けてパッキン部材或いは接触抵抗部材が立設されていることから、戸を閉じたときに、戸の閉成側の框が衝突して制動され勢いが落ちた後に閉成することになり、きわめて自然感触よく閉じることができるとともに跳ね返りを防止することができる。
【００２９】
また、パッキン部材或いは接触抵抗部材が複数であるとともにこれらの戸に対する接触抵抗が開放方向から閉成方向へ順に大きく設定されているので、戸を閉じたときに、戸の閉成側の框が戸の開閉方向に平行な枠面から戸の開閉方向に交差する方向へ向けて立設された複数のパッキン部材に順次衝突して戸の勢いが段階的に制動されて勢いが順次衰退してきわめて自然に感触よく閉じることができる。
【００３０】
更に、パッキン部材或いは接触抵抗部材が戸の閉成時に屈曲して戸枠と戸の框との間に弾圧状態で挟み込まれる幅を有する場合には、閉じた戸が閉成状態で弾圧保持されるため閉じる感触がよいとともに確実に跳ね返りを防止することができ、逆に保持状態から戸を開放方向へ移動させた場合には、戸を弾圧保持しているパッキン部材が段階的に解除されるので少ない力で円滑な開閉操作が可能となる。
【００３１】
更にまた、閉成時と同様に本発明を開放側の戸枠について実施すれば開放時にも同様の作用・効果を期待することができる。
【図面の簡単な説明】
【図１】  本発明の実施の形態を使用時における作動状態とともに示す説明図。
【図２】  本発明の異なる実施の形態を示す斜視図。
【図３】  本発明の更に異なる実施の形態を示す斜視図。
【図４】  本発明の別の実施の形態を示す斜視図。
【図５】  従来例を示す説明図。
【符号の説明】
１  戸
２  戸枠用パッキン
３  戸枠
２２  パッキン部材
２３  パッキン部材
２５  接触抵抗部材
２６  接触抵抗部材
２７  接触抵抗部材
【図１】
0003739162.tif 000002
【図２】
0003739162.tif 000003
【図３】
0003739162.tif 000004
【図４】
0003739162.tif 000005
【図５】
0003739162.tif 000006